(57)【要約】【課題】    印刷ジョブ処理中に通信遮断を検出した際のリカバリ印刷の必要性を適切に判断することができる印刷システムおよび印刷システムの制御方法の提供を目的とする【解決手段】  プリンタ２０は、印刷ホスト１０から受信した印刷ジョブ１３の印刷データを全て受信し、最終ページまでの印刷が全て可能な状態となったことをネットワーク３０経由で印刷ホスト１０に通知する。印刷ホスト１０は、印刷ジョブ１３の処理中にネットワーク３０における通信遮断発生を通信制御部（印刷ホスト）１８にて検知すると、印刷ジョブを全て印刷可能な状態になった旨の通知があった場合は、リカバリ印刷を無効にし、通知手段により印刷ジョブを全て印刷可能な状態になった旨の通知がない場合は、リカバリ印刷を有効に制御する。【選択図】  図１
2006268731.tif 000002
【特許請求の範囲】
【請求項１】
ホスト装置から印刷ジョブをネットワークを介して印刷装置に送信して該印刷ジョブの印刷指示を行い、該印刷指示に際してエラーが発生した場合は、該印刷ジョブを前記印刷装置に再送信してリカバリ印刷を実行するリカバリ機能を有する印刷システムにおいて、
前記印刷装置は、
前記印刷ジョブの受信により該印刷ジョブを全て印刷可能な状態になった場合にその旨を前記ネットワークを経由して前記ホスト装置に通知する通知手段
を具備し、
前記ホスト装置は、
前記印刷指示に際してエラーが発生したか否かを検出するエラー検出手段と、
前記エラー検出手段により前記エラーの発生が検出された場合に、該エラーが通信遮断発生によるエラーかを判別する通信遮断判別手段と、
前記通信遮断判別手段により前記エラーが通信遮断発生によるエラーであると判別された場合に、前記通知手段により前記印刷ジョブを全て印刷可能な状態になった旨の通知があった場合は、前記リカバリ機能を無効にし、前記通知手段により前記印刷ジョブを全て印刷可能な状態になった旨の通知がない場合は、前記リカバリ機能を有効に制御する制御手段と
を具備することを特徴とする印刷システム。
【請求項２】
前記制御手段は、
前記通信遮断判別手段により前記エラーが通信遮断発生によるエラーでないと判別された場合に、該印刷ジョブが送信中かを判別する送信中判別手段
を更に具備し、
前記送信中判別手段により送信中であると判別された場合は、前記リカバリ機能を有効にし、送信中でないと判別された場合は、前記リカバリ機能を無効に制御する
ことを特徴とする請求項１記載の印刷システム。
【請求項３】
前記印刷装置は、
前記リカバリ機能によるリカバリ印刷を実行した場合は、前記エラーにかかわる印刷ジョブを削除する削除手段
を具備することを特徴とする請求項１または２記載の印刷システム。
【請求項４】
ホスト装置から印刷ジョブをネットワークを介して印刷装置に送信して該印刷ジョブの印刷指示を行い、該印刷指示に際してエラーが発生した場合は、該印刷ジョブを前記印刷装置に再送信してリカバリ印刷を実行するリカバリ機能を有する印刷システムの制御方法において、
前記印刷システムは、前記印刷ジョブの受信により該印刷ジョブを全て印刷可能な状態になった場合にその旨を通知手段により前記ネットワークを経由して前記ホスト装置に通知し、
前記ホスト装置は、前記印刷指示に際してエラーが発生した場合は、該エラーが通信遮断発生によるエラーかを通信遮断判別手段により判別し、
前記通信遮断判別手段により前記エラーが通信遮断発生によるエラーであると判別された場合に、前記通知手段により前記印刷ジョブを全て印刷可能な状態になった旨の通知があった場合は、前記リカバリ機能を無効にし、前記通知手段により前記印刷ジョブを全て印刷可能な状態になった旨の通知がない場合は、前記リカバリ機能を有効に制御する
ことを特徴とする印刷システムの制御方法。
【発明の詳細な説明】
【技術分野】
【０００１】
本発明は、印刷システムおよび印刷システムの制御方法に関し、特に、印刷ホストとプリンタがネットワーク接続された印刷システムのリカバリ印刷制御に関する。
【背景技術】
【０００２】
プリンタエラーに対する復旧印刷制御に関する技術として、特許文献１の「プリンタ制御装置、プリンタシステム、プリンタ制御方法および記録媒体」がある。
【０００３】
上記特許文献１の発明は、プリンタエラーが発生した場合に、プリンタステータスを解析し、印刷中の印刷ジョブがある場合、印刷ジョブをキャンセルしてリカバリ用の印刷Ｑに登録する。その後、プリンタ側が復旧すると、リカバリキューに登録した印刷ジョブをリカバリキューに再登録して、リカバリキューのジョブを削除し、リカバリ印刷を行う。
【特許文献１】特開平１１ー４８１５６号公報。
【発明の開示】
【発明が解決しようとする課題】
【０００４】
印刷システムにおけるエラーは、プリンタエラーと、印刷ホストとプリンタとの間における通信エラーに大別され、プリンタエラーに対するリカバリ印刷に関しては、上記特許文献１の発明を適用した印刷システムにより、オペレータに対してもわかり易いリカバリ印刷制御を行うことができる。
【０００５】
一方、通信エラーに対するリカバリ印刷の必要性を判断する際、印刷ホスト側のスプーラが印刷データを送信する迄の期間をリカバリ印刷の対象とした場合、送信した印刷データがプリンタにて受信完了する前に通信遮断が発生した場合、印刷ホスト側では送信済みとして認識された印刷データがプリンタ側に受信されていないケースがあり印刷漏れが生じるといった問題生じた。
【０００６】
また、プリンタが印刷ジョブの全ページ分を印刷して排紙が完了する迄の期間をリカバリ印刷の対応とした場合、プリンタは最終ページまでの排紙が完了しているにも関わらず、印刷データの再送を行って２重印刷が行われてしまうといった問題が生じた。
【０００７】
よって、本発明は、印刷ジョブ処理中に印刷ホストとプリンタとの間のネットワークにて通信遮断を検出した場合、処理中の印刷ジョブに対するリカバリ印刷の必要性を適切に判断することができる印刷システムおよび印刷システムの制御方法の提供を目的とする。
【課題を解決するための手段】
【０００８】
上記目的を達成するために、請求項１の発明は、ホスト装置から印刷ジョブをネットワークを介して印刷装置に送信して該印刷ジョブの印刷指示を行い、該印刷指示に際してエラーが発生した場合は、該印刷ジョブを印刷装置に再送信してリカバリ印刷を実行するリカバリ機能を有する印刷システムにおいて、印刷装置は、印刷ジョブの受信により該印刷ジョブを全て印刷可能な状態になった場合にその旨をネットワークを経由してホスト装置に通知する通知手段を具備し、ホスト装置は、印刷指示に際してエラーが発生したか否かを検出するエラー検出手段と、エラー検出手段によりエラーの発生が検出された場合に、該エラーが通信遮断発生によるエラーかを判別する通信遮断判別手段と、通信遮断判別手段によりエラーが通信遮断発生によるエラーであると判別された場合に、通知手段により印刷ジョブを全て印刷可能な状態になった旨の通知があった場合は、リカバリ機能を無効にし、通知手段により印刷ジョブを全て印刷可能な状態になった旨の通知がない場合は、リカバリ機能を有効に制御する制御手段とを具備することを特徴とする。
【０００９】
また、請求項２の発明は、請求項１の発明において、制御手段は、通信遮断判別手段によりエラーが通信遮断発生によるエラーでないと判別された場合に、該印刷ジョブが送信中かを判別する送信中判別手段を更に具備し、送信中判別手段により送信中であると判別された場合は、リカバリ機能を有効にし、送信中でないと判別された場合は、リカバリ機能を無効に制御することを特徴とする。
【００１０】
また、請求項３の発明は、請求項１または２記載の発明において、印刷装置は、リカバリ機能によるリカバリ印刷を実行した場合は、エラーにかかわる印刷ジョブを削除する削除手段を具備することを特徴とする。
【００１１】
また、請求項４の発明は、ホスト装置から印刷ジョブをネットワークを介して印刷装置に送信して該印刷ジョブの印刷指示を行い、該印刷指示に際してエラーが発生した場合は、該印刷ジョブを印刷装置に再送信してリカバリ印刷を実行するリカバリ機能を有する印刷システムの制御方法において、印刷システムは、印刷ジョブの受信により該印刷ジョブを全て印刷可能な状態になった場合にその旨を通知手段によりネットワークを経由してホスト装置に通知し、ホスト装置は、印刷指示に際してエラーが発生した場合は、該エラーが通信遮断発生によるエラーかを通信遮断判別手段により判別し、通信遮断判別手段によりエラーが通信遮断発生によるエラーであると判別された場合に、通知手段により印刷ジョブを全て印刷可能な状態になった旨の通知があった場合は、リカバリ機能を無効にし、通知手段により印刷ジョブを全て印刷可能な状態になった旨の通知がない場合は、リカバリ機能を有効に制御することを特徴とする。
【発明の効果】
【００１２】
本発明の印刷システムおよび印刷システムの制御方法によれば、印刷ホストとプリンタの間で通信遮断が発生した場合のリカバリ印刷制御の必要性を適切に判断し、二重印刷、印刷ジョブの喪失を防止する。
【発明を実施するための最良の形態】
【００１３】
本発明における印刷システムおよび印刷システムの制御方法について添付図面を参照しながら説明する。
【実施例１】
【００１４】
図１は、本発明を使用した印刷システムの構成例と各装置の制御構成を示すブロック図である。
【００１５】
（印刷システム全体の説明）
図１の印刷システムにおいて、印刷ホスト１０とプリンタ２０は、ネットワーク３０を介して接続され、プリンタ２０は、ページ記述言語（ＰＤＬ）の展開を行う機能を有しておらず、印刷ホスト１０が生成する印刷制御情報およびページ毎の印刷イメージを含んだ印刷データを受信して印刷処理をホストベースの印刷装置である。
【００１６】
また、プリンタ２０は、印刷ホスト１０から印刷データを受信して印刷処理を行う場合に、全ページ分の印刷データの受信が完了して、最終ページまでを印刷して排紙可能な状態を検知すると、ステータス情報として「印刷データ受信完了通知」を印刷ホスト１０に送信して通知する。
【００１７】
印刷ホスト１０は、印刷ジョブの処理中において、プリンタエラー、通信遮断を検知すると、印刷ホスト１０は、「印刷データ受信完了通知」の受信済みか否かを判断し、受信済みでない場合は、エラーとなった印刷ジョブをリカバリ印刷の対象とし、エラー復旧後において、そのエラーとなった印刷ジョブのリカバリを実施するか否かをユーザ確認し、リカバリ印刷がユーザにより指示された場合、印刷ホスト１０は、エラーとなった印刷ジョブの印刷データをプリンタ２０に再送してリカバリ印刷を行う。
【００１８】
（印刷ホストの制御構成）
印刷データ生成部１１は、文書、画像、図形を含んだ文書の作成、編集を行い、ユーザが文書の印刷指示操作を行うためのユーザインタフェースを有し、印刷指示操作が行われた場合は、印刷ジョブ生成部１４に文書データおよびユーザが指定した印刷出力設定に関する情報を出力して印刷ジョブ１３の生成を指示する。
【００１９】
印刷ホスト記憶部１２は、印刷ジョブ送信制御部１６にて管理している印刷ジョブ１３の状態を印刷管理情報１９に記憶して管理し、リカバリ印刷の対象となった印刷ジョブの識別情報を記憶して管理するリカバリ印刷情報１５を記憶する記憶領域である。
【００２０】
印刷ジョブ１３は、印刷ジョブの識別情報と、印刷データで構成され、さらに、印刷データは、印刷するページの総ページ数、印刷出力設定、印刷ジョブの識別情報を記憶した印刷制御情報と、印刷ジョブ生成部１４にて生成したページ毎の印刷画像データで構成される。
【００２１】
印刷ジョブ生成部１４は、受信した文書データと出力先として指定されたプリンタの印刷出力設定に基づいて印刷ジョブ１３を生成し、生成した印刷ジョブ１３を印刷ジョブ送信制御部１６に出力する。
【００２２】
リカバリ印刷情報１５は、リカバリ印刷の対象となる印刷ジョブの識別情報、リカバリ印刷の原因となったエラーの内容を特定するためのエラー情報を記録する。
【００２３】
印刷ジョブ送信制御部１６は、印刷ジョブ生成部１４から受信した印刷ジョブ１３を、印刷ホスト記憶部１２に一時的に記憶し、印刷ジョブ１３の識別情報と印刷ジョブ１３のジョブ処理状況を印刷ジョブ管理情報１９に記録して各印刷ジョブ１３の送信制御を行う。
【００２４】
プリンタステータス監視部１７は、プリンタ２０に対するプリンタステータスの問い合せをネットワーク監視用プロトコルを用いて所定間隔で実施し、プリンタ２０から通知されるプリンタステータス２５２、印刷ジョブ受信ステータス２５３に変更が発生した場合は、変更内容を印刷ジョブ送信制御部１６に通知する。
【００２５】
通信制御部（印刷ホスト）１８は、ネットワーク３０を介して接続されるプリンタ２０との間で、ＴＣＰ／ＩＰ、ＮＥＴＢＥＡＵＩプロトコルにより双方向通信を制御し、ネットワーク３０における通信遮断、通信遮断の復旧を検知して印刷ジョブ送信制御部１６に通知する。
【００２６】
（プリンタの制御構成）
プリンタ２０において、通信制御部（プリンタ）２１は、ネットワーク３０を介して接続される印刷ホスト１０との間で、ＴＣＰ／ＩＰ、ＮＥＴＢＥＡＵＩプロトコルにより双方向通信を行うためのデータ通信制御を行う。
【００２７】
通信制御部（プリンタ）２１は、ネットワーク３０を介して接続された印刷ホスト１０との通信中における通信遮断、通信遮断の復旧を検知して印刷制御部２２に通知する。
【００２８】
印刷制御部２２は、プリンタ２０のプリンタステータス２５２、印刷ジョブ受信ステータス２５３を管理するとともに、印刷ホスト１０から定期的に送信されるステータスの問い合わせに対する応答通知を印刷ホスト１０に送信する。
【００２９】
プリンタ記憶部２５は、印刷ジョブ受信用バッファ２５１、プリンタステータス２５２、印刷ジョブ受信ステータス２５３、印刷イメージ出力用バッファ２５４を有する。
【００３０】
印刷ジョブ受信用バッファ２５１は、印刷ホスト１０から受信した所定ページ数分の印刷データを排紙完了まで一時的に保存するバッファ領域である。
【００３１】
プリンタステータス２５２は、印刷ジョブの処理進捗状況を管理する情報を記憶する領域であり、処理中である印刷ジョブの識別情報、印刷中のページ情報、排紙中のページ情報、排紙が完了したページ情報、プリンタ２０にてエラーが発生した場合は、予め定義され、なおかつ、印刷ホスト１０にて認識可能なエラーコードが記録して管理される。
【００３２】
印刷ジョブ受信ステータス２５３は、データ受信中の印刷ジョブの識別情報、データ受信が完了し、印刷ジョブ受信用バッファ２５１への展開が完了した印刷データのページ情報、印刷ジョブで指定された印刷文書の総ページ数を記憶する。
【００３３】
印刷イメージ出力用バッファ２５４は、印刷ジョブ受信用バッファ２５１に出力されたページ毎の印刷データに基づいて作成された印刷イメージを展開する領域である。
【００３４】
印刷制御部２２は、通信制御部（プリンタ）２１から受信した印刷データから印刷制御情報を抽出して解析し、受信した印刷データからページ毎の印刷データを、ページの昇順にて印刷ジョブ受信用バッファ２５１に出力する。そして、出力されたページ毎の印刷データをページの昇順に読み出して印刷イメージを作成し、作成した印刷イメージを印刷イメージ出力用バッファ２５４に出力して、用紙への印刷を画像形成処理部２９に指示する。
【００３５】
また、印刷制御部２２は、用紙への印刷が完了したページの印刷データを印刷ジョブ受信用バッファ２５１から削除する。
【００３６】
画像形成処理部２９は、印刷制御部２２からの指示によって印刷イメージ出力用バッファ２５４に展開された印刷イメージによる用紙への印刷処理、印刷した用紙の排紙制御を行い、排紙が完了した印刷ページ、印刷中、排紙中のページの情報を印刷制御部２２に通知する。
【００３７】
プリンタステータス通知部２３は、通信制御部（プリンタ）２１を介して受信した印刷ホスト１０からのステータス通知要求に対し、プリンタステータス２５２を読み出して印刷ホスト１０に送信する。
【００３８】
印刷ジョブ受信状況監視部２４は、印刷ホスト１０から受信した印刷データの受信状況を印刷ジョブ受信ステータス２５３に記録して管理する。
【００３９】
また、印刷ジョブ受信状況監視部２４は、印刷データの最終ページの受信が完了して印刷ジョブ受信用バッファ２５１へのバッファリングが完了し、プリンタ２０が最終ページまでを印刷して排紙できる状態を、印刷ジョブ受信ステータス２５３、プリンタステータス２５２の記録内容に基づいて検出すると、印刷データの受信完了を通知する応答データを印刷データの送信元となる印刷ホスト１０宛に送信する。
【００４０】
（プリンタの印刷ジョブ受信制御）
図２は、図１のプリンタ２０における印刷ジョブ受信制御の動作例を示したフローチャートである。
【００４１】
印刷データを印刷ホスト１０から受信すると、印刷データの印刷制御情報を解析し（Ｓ１０１）、各ページの印刷データを印刷ジョブ受信用バッファ２５１に出力し、印刷制御情報の解析により取得した印刷ジョブの識別情報、印刷データの総ページ数、印刷ジョブ受信用バッファ２５１にバッファリングが完了したページ情報を印刷ジョブ受信ステータス２５３に設定する（Ｓ１０３）。
【００４２】
プリンタ２０は、印刷ジョブ受信用バッファ２５１にバッファリングされた印刷データを印刷ページの昇順にて読み出して印刷処理を開始する（Ｓ１０４）。
【００４３】
印刷ジョブ受信状況監視部２４は、最終ページの印刷データの受信完了時期を監視する（Ｓ１０５ＮＯ）。
【００４４】
全ページ分の印刷データの受信が完了して（Ｓ１０５ＹＥＳ）、印刷ジョブ受信用バッファ２５１へのバッファリングが完了した場合（Ｓ１０６ＹＥＳ）、印刷ジョブ受信状況監視部２４は、印刷ホスト１０に対して「印刷データ受信完了通知」を送信し（Ｓ１０７）、最終ページの排紙完了を監視する（Ｓ１０８ＮＯ）。
【００４５】
最終ページの排紙が完了すると（Ｓ１０８ＹＥＳ）、プリンタステータス通知部２３は、印刷ホスト１０に対して「印刷完了通知」を送信する（Ｓ１０９）。
【００４６】
（印刷ホストにおけるエラー検出制御）
図３は、印刷ホスト１０におけるエラー検出制御の動作例を示したフローチャートである。
【００４７】
（通信エラー）
印刷ホスト１０は、通信エラーを検出すると（Ｓ２０１ＹＥＳ）、処理中の印刷ジョブに対してプリンタ２０から印刷データの受信完了応答が受信済みかを判断する（Ｓ２０２）。
【００４８】
処理中の印刷ジョブにて対し、プリンタ２０から印刷データの受信完了応答を受信していない場合（Ｓ２０２ＮＯ）、印刷ホスト１０は、処理中の印刷ジョブをリカバリ印刷の対象とするようリカバリ印刷情報１５に印刷ジョブの識別情報、エラーの情報を登録して（Ｓ２０９）、エラー復旧待ちの状態に遷移する（Ｓ２１０ＮＯ）。
【００４９】
エラー（通信エラーあるいはプリンタエラー）が復旧してリカバリ印刷が可能な状態となった場合（Ｓ２１０ＹＥＳ）、印刷ホスト１０は、リカバリ印刷の実施をユーザに確認し（Ｓ２１１）、リカバリ印刷が選択指示された場合（Ｓ２１１ＹＥＳ）、リカバリ印刷情報１５に登録された印刷ジョブを印刷管理情報１９に登録し（Ｓ２１２）、印刷データを再送してリカバリ印刷を開始し（Ｓ２１３）、リカバリ印刷を行った印刷ジョブの印刷完了待ち状態に遷移する（Ｓ２１４ＮＯ）。
【００５０】
リカバリ印刷が完了すると（Ｓ２１４ＹＥＳ）、リカバリした印刷ジョブ１３を印刷ホスト記憶部１２から削除し、削除した印刷ジョブ１３の情報をジョブ管理情報１９から削除し、リカバリ印刷制御が完了した印刷ジョブに関する情報をリカバリ印刷情報１５から削除する（Ｓ２１５）。
【００５１】
（リカバリ印刷不要）
再度、ステップＳ２０２に戻り、印刷データの受信完了応答が受信済みの場合（Ｓ２０２ＹＥＳ）、印刷ホスト１０は、処理中の印刷ジョブをリカバリ印刷の対象外とし（Ｓ２０３）、ユーザに対しては印刷中における通信エラーを通知し（Ｓ２０４）、通信エラーの復旧待ちに遷移する（Ｓ２０５ＮＯ）。
【００５２】
エラーが復旧すると（Ｓ２０５ＹＥＳ）、印刷ホスト１０は、処理途中でエラーとなった印刷ジョブに対するプリンタ２０の印刷完了通知を監視し（Ｓ２０６ＮＯ）、印刷完了通知を受信すると印刷ジョブを印刷ホスト記憶部１２から削除する（Ｓ２０７）。
【００５３】
（プリンタエラー）
再度、ステップＳ２０１に戻り、エラーの種別がプリンタエラーである場合（Ｓ２０１ＮＯ）、印刷ホスト１０は、ジョブ管理情報１９に記録された処理中印刷ジョブのステータス情報を解析して印刷データの送信中であるか否かを判断する（Ｓ２０８）。
【００５４】
印刷データの送信中でない場合（Ｓ２０８ＮＯ）、印刷ホスト１０は、処理中の印刷ジョブをリカバリ印刷の対象外とし（Ｓ２０３）、ユーザに対しては印刷中における通信エラーを通知し（Ｓ２０４）、通信エラーの復旧待ちに遷移する（Ｓ２０５ＮＯ）。
【００５５】
印刷データの送信中である場合（Ｓ２０８ＹＥＳ）、印刷ホスト１０は、リカバリ印刷情報１５に処理中の印刷ジョブの識別情報を登録し、エラーとなった印刷ジョブのリカバリ印刷を有効にする（Ｓ２０９）。
【００５６】
エラー（通信エラーあるいはプリンタエラー）が復旧してリカバリ印刷が可能な状態となった場合（Ｓ２１０ＹＥＳ）、印刷ホスト１０は、リカバリ印刷の実施をユーザに確認し（Ｓ２１１）、リカバリ印刷が選択指示された場合（Ｓ２１１ＹＥＳ）、リカバリ印刷情報１５に登録された印刷ジョブを印刷管理情報１９に登録し（Ｓ２１２）、印刷データを再送してリカバリ印刷を開始し（Ｓ２１３）、リカバリ印刷を行った印刷ジョブの印刷完了待ち状態に遷移する（Ｓ２１４ＮＯ）。
【００５７】
リカバリ印刷が完了すると（Ｓ２１４ＹＥＳ）、リカバリした印刷ジョブ１３を印刷ホスト記憶部１２から削除し、削除した印刷ジョブ１３の情報をジョブ管理情報１９から削除し、リカバリ印刷制御が完了した印刷ジョブに関する情報をリカバリ印刷情報１５から削除する（Ｓ２１５）。
【００５８】
なお、上記印刷システムは、有線によりネットワーク接続された構成の例を示したが、ネットワーク３０は、無線通信によるデータ通信制御を行う構成であってもよい。
【産業上の利用可能性】
【００５９】
本発明の印刷システムおよび印刷システムの制御方法は、印刷ホストにて作成した印刷データを、ネットワーク経由で受信して印刷制御を行う印刷装置を含む印刷システムに利用可能であり、特に、印刷装置は、ＰＤＬの展開機能をもたずに印刷ホスト側でページ毎の印刷イメージとして作成された印刷データを受信して印刷処理を行うホストベースの印刷制御装置であり、印刷ホストと印刷装置との間にて通信遮断が発生した場合のリカバリ印刷制御に有効である。
【図面の簡単な説明】
【００６０】
【図１】本発明の印刷システムの構成例と各装置の制御構成を示すブロック図。
【図２】図１のプリンタ２０における印刷ジョブ受信制御の動作例を示したフローチャート。
【図３】図１の印刷ホスト１０におけるエラー検出制御の動作例を示したフローチャート。
【符号の説明】
【００６１】
１０    印刷ホスト
１１    印刷データ生成部
１２    印刷ホスト記憶部
１３    印刷ジョブ
１４    印刷ジョブ生成部
１５    リカバリ印刷情報
１６    印刷ジョブ送信制御部
１７    プリンタステータス監視部
１８    通信制御部（印刷ホスト）
１９    ジョブ管理情報
２０    プリンタ
２１    通信制御部（プリンタ）
２２    印刷制御部
２３    プリンタステータス通知部
２４    印刷データ受信状態監視部
２５    プリンタ記憶部
２５１    印刷ジョブ受信用バッファ
２５２    プリンタステータス
２５３    印刷ジョブ受信ステータス
２５４    印刷イメージ出力用バッファ
２９    画像形成処理部
３０    ネットワーク
【図１】
2006268731.tif 000003
【図２】
2006268731.tif 000004
【図３】
2006268731.tif 000005